Podtech/llm-jp-corpus-v4-ja_patent huggingface dataset:
【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  排出される記録媒体を受ける受け装置において、
柔軟性を有するシート部材と、
前記シート部材の端部を係止可能な係止部材とを備え、
当該係止部材は、
装置上部前方に設けられ、装置前方に高さを変えずに移動させて任意の位置に配置することが可能な前部上フックと、
当該前部上フックの下方に設けられた前部下フックと、
当該前部下フックからみて後方に設けられた後部フックとを有し、
前記係止部材の前記前部上フック、前記前部下フック、及び前記後部フックの配置形態、及び当該配置形態における前記シート部材の係止形態で、当該シート部材自体の形態を変化させることにより使用態様を変更することが可能なことを特徴とする受け装置。
【請求項２】  前記シート部材は、矩形状に形成され、両端部及びその中間部が複数のシャフトにそれぞれ沿って係留されており、
前記係止部材は、前記各シャフトの端部を係止可能であることを特徴とする請求項１に記載の受け装置。
【請求項３】  前記係止部材は、係止している前記各シャフトの軸が平行となるように配設されていることを特徴とする請求項２に記載の受け装置。
【請求項４】  記録媒体の供給部、記録部、排出部、脚部がこの順で上部から配設されており、供給され記録され排出される記録媒体を受ける受け装置を備えたプリンタにおいて、
前記受け装置は、
矩形状に形成され、両端部及びその中間部が複数のシャフトにそれぞれ沿って係留された柔軟性を有するシート部材と、
前記脚部に取り付けられて任意の位置に配置可能であって、前記各シャフトの端部を係止可能な係止部材とを備え、
当該係止部材は、
装置上部前方に設けられ、装置前方に高さを変えずに移動させて任意の位置に配置することが可能な前部上フックと、
当該前部上フックの下方に設けられた前部下フックと、
当該前部下フックからみて後方に設けられた後部フックとを有し、
前記係止部材の前記前部上フック、前記前部下フック、及び前記後部フックの配置形態、及び当該配置形態における前記シート部材の係止形態で、当該シート部材自体の形態を変化させることにより使用態様を変更することが可能なことを特徴とするプリンタ。
【請求項５】  前記係止部材は、係止している前記各シャフトの軸が平行となるように配設されていることを特徴とする請求項４に記載の受け装置を備えたプリンタ。
【手続補正２】
【補正対象書類名】明細書
【補正対象項目名】０００５
【補正方法】変更
【補正の内容】
【０００５】
【課題を解決するための手段】
上記目的達成のため、本発明の請求項に係る受け装置では、排出される記録媒体を受ける受け装置において、柔軟性を有するシート部材と、前記シート部材の端部を係止可能な係止部材とを備え、当該係止部材は、装置上部前方に設けられ、装置前方に高さを変えずに移動させて任意の位置に配置することが可能な前部上フックと、当該前部上フックの下方に設けられた前部下フックと、当該前部下フックからみて後方に設けられた後部フックとを有し、前記係止部材の前記前部上フック、前記前部下フック、及び前記後部フックの配置形態、及び当該配置形態における前記シート部材の係止形態で、当該シート部材自体の形態を変化させることにより使用態様を変更することが可能なことを特徴としている。
【手続補正３】
【補正対象書類名】明細書
【補正対象項目名】０００７
【補正方法】変更
【補正の内容】
【０００７】
また、本発明の請求項に係る受け装置では、前記シート部材は、矩形状に形成され、両端部及びその中間部が複数のシャフトにそれぞれ沿って係留されており、前記係止部材は、前記各シャフトの端部を係止可能であることを特徴としている。これにより、記録媒体の受け部を所望の形状に形成するときは、シャフトを持って係止部材に掛けるのみで良く、使用態様の変更作業を簡易に行うことができる。
【手続補正４】
【補正対象書類名】明細書
【補正対象項目名】０００８
【補正方法】変更
【補正の内容】
【０００８】
また、本発明の請求項に係る受け装置では、前記係止部材は、係止している前記各シャフトの軸が平行となるように配設されていることを特徴としている。これにより、記録媒体に皺等を付けずに受けることができる受け部の形状にすることができ、記録媒体の品質を高品質に維持することができる。
【手続補正５】
【補正対象書類名】明細書
【補正対象項目名】０００９
【補正方法】変更
【補正の内容】
【０００９】
上記目的達成のため、本発明の請求項に係るプリンタでは、記録媒体の供給部、記録部、排出部、脚部がこの順で上部から配設されており、供給され記録され排出される記録媒体を受ける受け装置を備えたプリンタにおいて、前記受け装置は、矩形状に形成され、両端部及びその中間部が複数のシャフトにそれぞれ沿って係留された柔軟性を有するシート部材と、前記脚部に取り付けられて任意の位置に配置可能であって、前記各シャフトの端部を係止可能な係止部材とを備え、当該係止部材は、装置上部前方に設けられ、装置前方に高さを変えずに移動させて任意の位置に配置することが可能な前部上フックと、当該前部上フックの下方に設けられた前部下フックと、当該前部下フックからみて後方に設けられた後部フックとを有し、前記係止部材の前記前部上フック、前記前部下フック、及び前記後部フックの配置形態、及び当該配置形態における前記シート部材の係止形態で、当該シート部材自体の形態を変化させることにより使用態様を変更することが可能なことを特徴としている。
【手続補正６】
【補正対象書類名】明細書
【補正対象項目名】００１１
【補正方法】変更
【補正の内容】
【００１１】
また、本発明の請求項に係るプリンタでは、前記係止部材は、係止している前記各シャフトの軸が平行となるように配設されていることを特徴としている。これにより、記録媒体に皺等を付けずに受けることができる受け部の形状にすることができ、記録媒体の品質を高品質に維持することができる。
【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  記録媒体を切断する切断装置であって、
前記記録媒体を厚さ方向に挟み込んで幅方向に移動することにより切断するカッタと、
前記カッタを保持しており、前記記録媒体を幅方向に押さえ込んで、前記カッタの幅方向の移動を案内するガイドとを備えたことを特徴とする切断装置。
【請求項２】  前記ガイドを保持しており、前記記録媒体の排出時に前記ガイドを前記記録媒体から退避させ、前記記録媒体の切断時に前記ガイドを前記記録媒体に押し付けるホルダを備えたことを特徴とする請求項２に記載の切断装置。
【請求項３】  前記ガイドは、前記記録媒体の幅方向に長尺に形成され、前記記録媒体を幅方向に押さえ込む押さえ板と、前記記録媒体の幅方向に長尺に形成されて前記押さえ板と一体化され、前記カッタの幅方向の移動を案内する案内溝とを備えたことを特徴とする請求項１または２に記載の切断装置。
【請求項４】  前記ホルダは、前記ガイドの両端をそれぞれ保持することを特徴とする請求項３に記載の切断装置。
【請求項５】  前記ホルダは、前記ガイドを前記記録媒体から退避させた後、あるいは前記記録媒体に押し付けた後に保持する弾性部材を備えたことを特徴とする請求項２〜４の何れか一項に記載の切断装置。
【請求項６】  前記弾性部材は、引っ張りバネであることを特徴とする請求項５に記載の切断装置。
【請求項７】  記録媒体に情報を記録するプリンタであって、
請求項１〜６の何れか一項に記載の切断装置を備えたことを特徴とするプリンタ。
【手続補正２】
【補正対象書類名】明細書
【補正対象項目名】０００７
【補正方法】変更
【補正の内容】
【０００７】
【発明を解決するための手段】  上記目的達成のため、本発明に係る切断装置では、記録媒体を切断する切断装置であって、前記記録媒体を厚さ方向に挟み込んで幅方向に移動することにより切断するカッタと、前記カッタを保持しており、前記記録媒体を幅方向に押さえ込んで、前記カッタの幅方向の移動を案内するガイドとを備えたことを特徴としている。
【手続補正３】
【補正対象書類名】明細書
【補正対象項目名】０００８
【補正方法】変更
【補正の内容】
【０００８】
これにより、記録媒体が例え反っていたとしても、切断時にはガイドによりその記録媒体を平坦にすることができるので、カッタによる記録媒体の切断精度を常に高精度に維持することができる。
【手続補正４】
【補正対象書類名】明細書
【補正対象項目名】０００９
【補正方法】変更
【補正の内容】
【０００９】
また、本発明に係る切断装置では、前記ガイドを保持しており、前記記録媒体の排出時に前記ガイドを前記記録媒体から退避させ、前記記録媒体の切断時に前記ガイドを前記記録媒体に押し付けるホルダを備えたことを特徴としている。
【手続補正５】
【補正対象書類名】明細書
【補正対象項目名】００１０
【補正方法】変更
【補正の内容】
【００１０】
これにより、切断装置を使用しないときには、ガイドを退避状態にしておけば記録媒体と干渉することはないので、切断装置を一旦設置した後は切断装置自体を取り外す必要が無くなる。
【手続補正６】
【補正対象書類名】明細書
【補正対象項目名】００１１
【補正方法】変更
【補正の内容】
【００１１】
また、本発明に係る切断装置では、前記ガイドは、前記記録媒体の幅方向に長尺に形成され、前記記録媒体を幅方向に押さえ込む押さえ板と、前記記録媒体の幅方向に長尺に形成されて前記押さえ板と一体化され、前記カッタの幅方向の移動を案内する案内溝とを備えたことを特徴としている。
【手続補正７】
【補正対象書類名】明細書
【補正対象項目名】００１２
【補正方法】変更
【補正の内容】
【００１２】
これにより、記録媒体を確実に平坦にすることができると共に、カッタを確実に真っ直ぐに移動させることができ、切断精度を向上させることができる。
【手続補正８】
【補正対象書類名】明細書
【補正対象項目名】００１３
【補正方法】変更
【補正の内容】
【００１３】
また、本発明に係る切断装置では、前記ホルダは、前記ガイドの両端をそれぞれ保持することを特徴としている。これにより、記録媒体をホルダ間に通すことができるので、記録媒体との無用な干渉を防止することができる。
【手続補正９】
【補正対象書類名】明細書
【補正対象項目名】００１４
【補正方法】変更
【補正の内容】
【００１４】
また、本発明に係る切断装置では、前記ホルダは、前記ガイドを前記記録媒体から退避させた後、あるいは前記記録媒体に押し付けた後に保持する弾性部材を備えたことを特徴としている。これにより、切断装置を簡易な機構で構成することができる。
【手続補正１０】
【補正対象書類名】明細書
【補正対象項目名】００１５
【補正方法】変更
【補正の内容】
【００１５】
また、本発明に係る切断装置では、前記弾性部材は、引っ張りバネであることを特徴としている。
【手続補正１１】
【補正対象書類名】明細書
【補正対象項目名】００１６
【補正方法】変更
【補正の内容】
【００１６】
これにより、ガイドを記録媒体から退避させた後に保持し、記録媒体に押し付けた後に保持する２通りの保持状態を、いわゆる２安定バネで実現することができる。
【手続補正１２】
【補正対象書類名】明細書
【補正対象項目名】００１７
【補正方法】変更
【補正の内容】
【００１７】
また、本発明に係るプリンタでは、記録媒体に情報を記録するプリンタであって、上記各切断装置を備えたことを特徴としている。
【手続補正１３】
【補正対象書類名】明細書
【補正対象項目名】００１８
【補正方法】変更
【補正の内容】
【００１８】
これにより、記録媒体が例え反っていたとしても、切断時にはその記録媒体を平坦にすることができるので、切断装置による記録媒体の切断精度を常に高精度に維持することができる。また、記録媒体の切断が必要なときのみ切断装置をプリンタに取り付け、記録媒体の切断が不要なときは切断装置をプリンタから取り外しておくことができるので、作業の邪魔にならず、作業効率を向上させることができる。また、切断装置を取り付けたままでも記録済みの記録媒体を続けて排出することができ、切断装置の着脱作業を省略することができる。そして、上記各作用効果を奏するプリンタを提供することが可能となる。
【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】
メントール、メントン、リモネン及びピネンから選ばれる１種乃至は２種以上のモノテルペンを５０％以上含有することを特徴とする、エステティックのリラクゼーションからの覚醒用の香料組成物。
【請求項２】
ミント調の香調であることを特徴とする、請求項１に記載の覚醒用の香料組成物。
【請求項３】
請求項１又は２に記載の覚醒用の香料組成物を含有するエステティック用の化粧料。
【請求項４】
リラクゼーション処置後に使用されるものであることを特徴とする、請求項３に記載のエステティック用の化粧料。
【請求項５】
アフターマッサージ用の化粧料であることを特徴とする、請求項３又は４に記載のエステティック用の化粧料。
【手続補正２】
【補正対象書類名】明細書
【補正対象項目名】０００１
【補正方法】変更
【補正の内容】
【０００１】
【発明の属する技術分野】
本発明は、覚醒用に好適な香料組成物及びそれを含有するエステティック用の化粧料に関する。
【手続補正３】
【補正対象書類名】明細書
【補正対象項目名】０００２
【補正方法】変更
【補正の内容】
【０００２】
【従来の技術】
近年はストレス過多の時代であり、社会生活を営むものにとって過剰に負荷されたストレスは、循環器系疾患などの原因となることが少なくなく、この様な過剰なストレスを如何に緩和するかが健全な生活を送る上での重要な課題となっている。この様なストレスの緩和に対して、末梢の神経を適度に刺激することが良い影響を与えることは古来より知られていることであり、例えば鍼灸術やマッサージなどが開発されてきた。この様な技術の一つとして、化粧料の効果との相乗的効果を利用したエステティックが近年注目を集めている。この様なエステティックに於いては、施術者の技量によってその効果が大きく異なる現象があった。取り分け、エステティック処置後の活力度にはこの様な差が著しく出現しており、活力度を上げ、エステティックの効果を安定化させる技術の開発が望まれていた。
【手続補正４】
【補正対象書類名】明細書
【補正対象項目名】０００５
【補正方法】変更
【補正の内容】
【０００５】
【課題の解決手段】
この様な状況に鑑みて、本発明者らは、エステティック処置後の活力度を上げ、エステティックの効果を安定化させる技術を求めて、鋭意研究努力を重ねた結果、モノテルペンを主成分とすることを特徴とする、覚醒用の香料組成物を含有する化粧料を用いて、マッサージなどのエステティックによるリラクゼーション処置を行った後に、覚醒のためのアフターマッサージを行うことにより、活力度を上昇させ、エステティックの効果を安定化させうることを見出し、発明を完成させるに至った。即ち、本発明は以下に示す技術に関するものである。
（１）メントール、メントン、リモネン及びピネンから選ばれる１種乃至は２種以上のモノテルペンを５０％以上含有することを特徴とする、エステティックのリラクゼーションからの覚醒用の香料組成物。
（２）ミント調の香調であることを特徴とする、（１）に記載の覚醒用の香料組成物。
（３）（１）又は（２）に記載の覚醒用の香料組成物を含有するエステティック用の化粧料。
（４）リラクゼーション処置後に使用されるものであることを特徴とする、（３）に記載のエステティック用の化粧料。
（５）アフターマッサージ用の化粧料であることを特徴とする、（３）又は（４）に記載のエステティック用の化粧料。
【手続補正５】
【補正対象書類名】明細書
【補正対象項目名】０００６
【補正方法】変更
【補正の内容】
【０００６】
【発明の実施の形態】
（１）本発明の覚醒用の香料組成物
本発明の覚醒用の香料組成物は、メントール、メントン、リモネン及びピネンから選ばれる１種乃至は２種以上のモノテルペンを、溶媒をのぞいた部分の５０％以上、好ましくは７０％以上含有することを特徴とする。本発明の覚醒用の香料組成物としては、これらをミント調の香調に調整したものが特に好ましい。具体的な構成としては、メントール、メントン、リモネン、α−ピネン、β−ピネン及びγ−ピネンから選ばれる１種乃至は２種以上をモノテルペンの構成とするものが特に好ましく例示できる。これらの混合比は、
メントール３０〜７０重量％、メントン１０〜２０重量％、リモネン１〜１５重量％、ピネン類１〜１０重量％程度が好ましい。これ以外に、適宜、本発明の効果を損ねない範囲に於いて、フェネチルアルコールや酢酸ベンジルなどの香料成分を加え、香調を整えたり、アクセントをつけたりすることができる。又、必要に応じ水やエタノール、１，３−ブタンジオールなどのアルコール類を溶剤として加え、希釈することもできる。かくして得られた香料組成物は、化粧料に含有させ、エステティックマッサージなどによるリラクゼーション処置後に、アフターマッサージする事により、リラクゼーションより速やかな覚醒を促し、以て、活力を増強させ、リラクゼーションによる効果を高める作用を発揮する。この為、本発明の香料組成物は、覚醒用の香料組成物として、取り分け、エステティックによるリラクゼーション処置後の覚醒用の香料組成物として大変有用である。
【誤訳訂正書】
【提出日】平成19年2月15日(2007.2.15)
【誤訳訂正１】
【訂正対象書類名】明細書
【訂正対象項目名】００２５
【訂正方法】変更
【訂正の内容】
【００２５】
融合蛋白は、ＯＢ蛋白（または類縁体）部分にポリアミノ酸を結合させることで得ることができる。例えば、ポリアミノ酸は、蛋白の血中半減期を延長する上で役立つ担体蛋白であることができる。本発明の治療上または美容上の目的に関しては、そのようなポリアミノ酸は、中和抗原反応その他の有害応答を起こさないものでなければならない。そのようなポリアミノ酸は、血清アルブミン（ヒト血清アルブミンなど）、抗体もしくはそれの部分（「Ｆｃ」と称される場合もある抗体の定常領域など）その他のポリアミノ酸からなる群から選択することができる。以下に示すように、ポリアミノ酸の結合位置は、ＯＢ蛋白部分のＮ末端その他の箇所であることができ、ＯＢ蛋白への化学的「リンカー」部分によって結合していても良い。
【手続補正書】
【提出日】平成18年12月14日(2006.12.14)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
郊外の、街の地上、空中に、フード付（１）の、エスカレータ式歩道（２）を建設する。
【請求項２】
街の中心部にもフード付エスカレータ式歩道を設置する事により、車の渋滞も防ぐ事が出来る。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【発明の詳細な説明】
【発明の名称】フード付エスカレータ式歩道
【技術分野】
【０００１】郊外の街や、街の中心部の地上や空中に、フード付歩道を設置する事により、雪、雨、風などが防げ、エスカレータ式にする事により、移動も楽になる、フード付エスカレータ式歩道。
【背景技術】
【０００２】郊外の街や、街の中心部の地上や空中にフード付エスカレータ式歩道がない。
【考案が解決しようとする課題】
【０００３】郊外の街や、街の中心部の地上や空中にフード付の歩道を設置して  雪、雨、風、などを防ぎエスカレータ式にする事により、移動も、楽にして行こうとする物である。
【図面の簡単な説明】
【０００４】
【図１】  立体図面
【手続補正書】
【提出日】平成19年4月11日(2007.4.11)
【手続補正１】
【補正対象書類名】特許請求の範囲
【補正対象項目名】請求項１７
【補正方法】変更
【補正の内容】
【請求項１７】
前記溶融状態の樹脂の温度又は前記樹脂の被着後から加硫前までの経過時間を制御する工程を含むことを特徴とする請求項１６記載の加硫接着体の製造方法。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
燃料から水素ガスを発生させる燃料改質器を内部に収容する燃料改質器収納用容器であって、その底面に設置された前記燃料改質器を載置する球状の台座と、前記燃料改質器に前記燃料を供給する供給路と、前記反応ガスを排出する排出路とが設けられていることを特徴とする燃料改質器収納用容器。
【請求項２】
前記燃料改質器に電力を供給する配線を備えることを特徴とする請求項１に記載の燃料改質器収納用容器。
【請求項３】
請求項１又は２に記載の燃料改質器収納用容器と、前記台座に載置された前記燃料改質器とを具備していることを特徴とする燃料改質装置。
【手続補正２】
【補正対象書類名】明細書
【補正対象項目名】発明の名称
【補正方法】変更
【補正の内容】
【発明の名称】燃料改質器収納容器および燃料改質装置
【手続補正３】
【補正対象書類名】明細書
【補正対象項目名】０００１
【補正方法】変更
【補正の内容】
【０００１】
本発明は例えば燃料電池システムにおいて燃料から反応ガスである水素ガスを発生させる燃料改質器を収容して燃料改質装置を構成するための燃料改質器収納用容器および燃料改質装置に関するものである。
【手続補正４】
【補正対象書類名】明細書
【補正対象項目名】００１５
【補正方法】変更
【補正の内容】
【００１５】
本発明の燃料改質器収納用容器は、燃料から水素ガスを発生させる燃料改質器を内部に収容する燃料改質器収納用容器であって、その底面に設置された前記燃料改質器を載置する球状の台座と、前記燃料改質器に前記燃料を供給する供給路と、前記反応ガスを排出する排出路とが設けられていることを特徴とするものである。また、好ましくは、前記燃料改質器収納用容器は、前記燃料改質器に電力を供給する配線を備える。さらに、本発明の燃料改質装置は、上記燃料改質器収納用容器と、前記台座に載置された前記燃料改質器とを具備していることを特徴とする。
【手続補正５】
【補正対象書類名】明細書
【補正対象項目名】００１６
【補正方法】変更
【補正の内容】
【００１６】
本発明の燃料改質器収納用容器によれば、その底面に、燃料改質器を載置する台座を有していることから、燃料改質器は燃料改質器収納用容器の外壁の内側に直接載置されないため、燃料改質器で発生した熱が燃料改質器収納用容器に直接大量に伝導することがないことより、燃料改質器収納用容器の表面の温度が上昇することもないため、この燃料改質器収納用容器の周辺に配置される他の部品を熱により破壊したり、また携帯機器を使用する者が火傷をしたりするおそれもない、安定かつ安全な燃料改質装置を提供することができる。
【手続補正書】
【提出日】平成19年5月8日(2007.5.8)
【手続補正１】
【補正対象書類名】明細書
【補正対象項目名】発明の名称
【補正方法】変更
【補正の内容】
【発明の名称】キーボード表示方法及び文字入力装置
【手続補正２】
【補正対象書類名】明細書
【補正対象項目名】特許請求の範囲
【補正方法】変更
【補正の内容】
【特許請求の範囲】
【請求項１】 ディスプレイ画面にキーボードを表示し、キーボード上の所定キーを指示することにより、該キーに割り当てた文字を入力する装置のキーボード表示方法において、
キーボードの通常文字表示領域に通常文字キーを表示し、
キーボードの特殊文字表示領域に通常文字以外の特殊文字キーを表示し、
特殊文字表示領域に表示できる最大特殊文字数以上の数の特殊文字を入力する必要がある場合、全特殊文字を複数のグループに分割し、
分割されたグループの特殊文字キーと共に他グループの特殊文字の表示を要求するキーを表示し、
前記要求キーが指示されたとき、他グループの特殊文字キーを前記特殊文字表示領域に表示する、
ことを特徴とするとキーボード表示方法。
【請求項２】 ディスプレイ画面にキーボードを表示し、キーボード上の所定キーを指示することにより、該キーに割り当てた文字を入力する装置のキーボード表示方法において、
キーボードの通常文字表示領域に通常文字キーを表示し、
キーボードの特殊文字表示領域に通常文字以外の特殊文字キーを表示し、
次に入力される可能性のある特殊文字を検索し、該検索した特殊文字の数が、特殊文字表示領域に表示できる最大特殊文字数より大きい場合、検索された全特殊文字を複数のグループに分割し、
分割されたグループの特殊文字キーと共に他グループの特殊文字の表示を要求するキーを表示し、
前記要求キーが指示されたとき、他グループの特殊文字キーを前記特殊文字表示領域に表示する、
ことを特徴とするとキーボード表示方法。
【請求項３】 ディスプレイ画面にキーボードを表示し、キーボード上の所定キーを指示することにより、該キーに割り当てた文字を入力するキーボード表示方法において、
通常文字表示領域に通常文字キーを表示し、特殊文字表示領域に特殊文字キーを表示し、
次に入力される可能性のある特殊文字を検索し、該検索した特殊文字を特殊文字表示領域に表示する、
ことを特徴とするキーボード表示方法。
【請求項４】 ディスプレイ画面にキーボードを表示し、キーボード上の所定キーを指示することにより、該キーに割り当てた文字を入力する文字入力装置において、
ディスプレイ画面にキーボードを表示すると共に、該キーボードの通常文字表示領域に通常文字キーを表示し、キーボードの特殊文字表示領域に通常文字以外の特殊文字キーを表示する表示部、
前記特殊文字表示領域に表示できる最大特殊文字数以上の数の特殊文字を入力する必要がある場合、全特殊文字を複数のグループに分割し、分割されたグループの特殊文字キーと共に他グループの特殊文字の表示を要求するキーを前記特殊文字表示領域に表示するよう制御し、前記表示された要求キーが指示されたとき、他グループの特殊文字キーを前記特殊文字表示領域に表示するよう制御する制御部、
を備えたことを特徴とすると文字入力装置。
【請求項５】 ディスプレイ画面にキーボードを表示し、キーボード上の所定キーを指示することにより、該キーに割り当てた文字を入力する文字入力装置において、
ディスプレイ画面にキーボードを表示すると共に、該キーボードの通常文字表示領域に通常文字キーを表示し、キーボードの特殊文字表示領域に通常文字以外の特殊文字キーを表示する表示部、
次に入力される可能性のある特殊文字を検索し、該検索した特殊文字の数が、前記特殊文字表示領域に表示できる最大特殊文字数より大きい場合、検索された全特殊文字を複数のグループに分割し、分割されたグループの特殊文字キーと共に他グループの特殊文字の表示を要求するキーを前記特殊文字表示領域に表示するよう制御し、前記表示された要求キーが指示されたとき、他グループの特殊文字キーを前記特殊文字表示領域に表示するよう制御する制御部、
を備えたことを特徴とすると文字入力装置。
【請求項６】ディスプレイ画面にキーボードを表示し、キーボード上の所定キーを指示することにより、該キーに割り当てた文字を入力する文字入力装置において、
ディスプレイ画面にキーボードを表示すると共に、該キーボードの通常文字表示領域に通常文字キーを表示し、特殊文字表示領域に特殊文字キーを表示する表示部、
次に入力される可能性のある特殊文字を検索し、該検索した特殊文字を前記特殊文字表示領域に表示するよう制御する制御部、
を備えたことを特徴とすると文字入力装置。
【手続補正３】
【補正対象書類名】明細書
【補正対象項目名】０００１
【補正方法】変更
【補正の内容】
【０００１】
【発明の属する技術分野】
本発明はキーボード表示方法及び文字入力装置に係わり、特に、ディスプレイ画面にキーボードを表示し、キーボード上の所定キーを指示することにより、該キーに割り当てた文字を入力する装置のキーボード表示方法及び文字入力装置に関する。
【手続補正書】
【提出日】平成19年7月11日(2007.7.11)
【手続補正１】
【補正対象書類名】明細書
【補正対象項目名】０００３
【補正方法】変更
【補正の内容】
【０００３】
上記のような分野において、微生物の防除剤としては、これまで、例えば次亜塩素酸ナトリウムや安定化二酸化塩素、サラシ粉などが用いられている。
しかし、これらの化合物は、刺激臭を発したり微生物に対する効力が不十分であったりするという欠点を有するうえ、その形状が顆粒状や粉末状などであるために、作業中に飛散したり、食品の取り出し口に付着したりするという問題もあった。
さらに、効力が不十分であるために微生物の凝集体（スライムなど）を形成させてしまい、これらが下水に流れ込むことによる環境への影響も危惧されている。
【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
III族元素窒化物結晶基板の製造方法であって、下記（ａ）の基板形成工程および（ｂ）の熱処理工程を有する製造方法。
（ａ）アルカリ金属およびアルカリ土類金属の少なくとも一方を含む融解液（フラックス）中において、窒素含有ガスの窒素とIII族元素とを反応させて結晶化させ、III族元素窒化物結晶基板を形成する基板形成工程。
（ｂ）前記（ａ）の基板形成工程により得られた基板中に存在する不純物を熱処理により無機化合物化する熱処理工程。
【請求項２】
前記（ｂ）の熱処理工程の熱処理が、塩素、硫黄、酸素および臭素からなる群から選択される少なくとも１つの元素を含む溶液若しくは雰囲気中で実施される請求項１に記載の基板の製造方法。
【請求項３】
前記（ｂ）の熱処理工程の熱処理が、酸性溶液中、酸素雰囲気中、水蒸気雰囲気中、水中、硫化物含有ガス中および塩素ガス雰囲気中からなる群から選択される少なくとも１つの環境中で実施される請求項１に記載の基板の製造方法。
【請求項４】
前記酸性溶液が、塩酸液、臭素酸液、硫酸液および硝酸液からなる群から選択される少なくとも１つである請求項３に記載の基板の製造方法。
【請求項５】
前記硫化物含有ガスが、硫黄を昇華させた雰囲気および硫化水素ガスの少なくとも一方である請求項３に記載の基板の製造方法。
【請求項６】
前記（ａ）の基板形成工程により得られた基板中に貫通転位部位および格子欠陥部位の少なくとも一方が存在し、前記部位に前記不純物が存在する請求項１から５のいずれかに記載の基板の製造方法。
【請求項７】
前記不純物が、アルカリ金属およびアルカリ土類金属の少なくとも一方である請求項１から６のいずれかに記載の基板の製造方法。
【請求項８】
前記不純物が、Ｎａ、Ｌｉ、ＣａおよびＭｇからなる群から選択される少なくとも１つである請求項１から６のいずれかに記載の基板の製造方法。
【請求項９】
前記（ｂ）の熱処理工程の後、さらに、下記（ｃ）の洗浄工程を有する請求項１から８のいずれかに記載の基板の製造方法。
（ｃ）前記（ｂ）の熱処理工程において熱処理を施した基板に洗浄処理を施す洗浄工程。
【請求項１０】
前記融解液中のアルカリ金属が、Ｎａ、Ｌｉ、Ｋ、Ｒｂ、ＣｓおよびＦｒからなる群から選択される少なくとも１つである請求項１から９のいずれかに記載の基板の製造方法。
【請求項１１】
前記融解液が、Ｎａ、Ｌｉ、ＣａおよびＭｇからなる群から選択される少なくとも１つを含む請求項１から９のいずれかに記載の基板の製造方法。
【請求項１２】
前記III族元素がＧａ、ＡｌおよびＩｎからなる群から選択される少なくとも一つであり、前記基板がＡｌuＧａvＩｎ1-u-vＮ（ただし０≦ｕ≦１、０≦ｖ≦１、ｕ＋ｖ≦１）で表されるIII族元素窒化物基板である請求項１から１１のいずれかに記載の基板の製造方法。
【請求項１３】
前記III族元素がＧａであり、前記基板がＧａＮ基板である請求項１から１１のいずれかに記載の基板の製造方法。
【請求項１４】
前記融解液がＮａおよびＬｉの少なくとも一方を含み、前記基板がＧａＮ基板である請求項１から９のいずれかに記載の基板の製造方法。
【請求項１５】
前記融解液がＬｉ、ＮａおよびＳｎからなる群から選択される１つと、Ｃａとを含み、前記基板がＡｌＮ基板である請求項１から９のいずれかに記載の基板の製造方法。
【請求項１６】
請求項１から１５のいずれかに記載の製造方法により製造されたIII族元素窒化物結晶基板。
【請求項１７】
III族元素窒化物結晶基板上にIII族元素窒化物結晶層が積層されたIII族元素窒化物半導体デバイスの製造方法であって、前記基板が、請求項１６に記載のIII族元素窒化物結晶基板であり、前記基板上にIII族元素窒化物結晶層を形成する結晶層形成工程を有する製造方法。
【請求項１８】
III族元素窒化物結晶基板上にIII族元素窒化物結晶層が積層されたIII族元素窒化物半導体デバイスの製造方法であって、下記（ｄ）の基板形成工程、（ｅ）の結晶層形成工程および（ｆ）の熱処理工程を有する製造方法。
（ｄ）アルカリ金属およびアルカリ土類金属の少なくとも一方を含む融解液（フラックス）中において、窒素含有ガスの窒素とIII族元素とを反応させて結晶化させ、III族元素窒化物結晶基板を形成する基板形成工程。
（ｅ）前記（ｄ）の基板形成工程で得られた前記基板上に、III族元素窒化物結晶層を形成する結晶層形成工程。
（ｆ）前記（ｄ）の基板形成工程により得られた基板中に存在する不純物を熱処理により無機化合物化する熱処理工程。
【請求項１９】
請求項１７または１８に記載の製造方法により製造されたIII族元素窒化物半導体デバイス。
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
利用者に所定情報を報知する車両用情報提供装置であって、
前記車両用情報提供装置は前記利用者に前記所定情報を表示するための表示手段と、この表示手段の前方に配設され前記所定情報を前記利用者に透視可能とする透視パネルと、前記利用者に車両の各種状態に応じた聴覚情報を提供する聴覚情報提供手段とを少なくとも備え、
前記聴覚情報提供手段は少なくとも前記表示手段と前記透視パネルとの間に配設されたブザーもしくはスピーカを備え、
前記透視パネルに前記ブザーもしくは前記スピーカから発せられる音を前記利用者側に伝達するための音伝達部を形成してなることを特徴とする車両用情報提供装置。
【請求項２】
利用者に所定情報を報知する車両用情報提供装置であって、
前記車両用情報提供装置は前記利用者に前記所定情報を表示するための表示手段と、この表示手段の前方に配設され前記所定情報を前記利用者に透視可能とする透視パネルと、この透視パネルの一部を覆い隠すように前記透視パネルの前方に配設されたバイザーと、前記前記利用者に車両の各種状態に応じた聴覚情報を提供する聴覚情報提供手段とを少なくとも備え、
前記聴覚情報提供手段は少なくとも前記表示手段と前記バイザーとの間に配設されたブザーもしくはスピーカを備え、
前記バイザーに前記ブザーもしくは前記スピーカから発せられる音を前記利用者側に伝達するための音伝達部を形成してなることを特徴とする車両用情報提供装置。
【請求項３】
前記表示手段の背後には前記聴覚情報提供手段を制御する制御手段を備えた回路基板が配設され、前記回路基板と前記ブザーもしくは前記スピーカとは接続部材を介して接続されてなることを特徴とする請求項１または請求項２記載の車両用情報提供装置。
【請求項４】
利用者に所定情報を報知する車両用情報提供装置であって、
前記車両用情報提供装置は前記利用者に前記所定情報を表示するための表示手段と、この表示手段の前方に配設され前記所定情報を前記利用者に透視可能とする透視パネルと、前記利用者に車両の各種状態に応じた聴覚情報を提供する聴覚情報提供手段とを少なくとも備え、
前記聴覚情報提供手段は少なくとも前記透視パネルの背後に配設されたブザーもしくはスピーカと、
前記ブザーもしくは前記スピーカから発せられる音を前記透視パネル側に導く導音部材とを備えてなることを特徴とする車両用情報提供装置。
【請求項５】
前記透視パネルに前記導音部材から出る音を前記利用者側に伝達するための音伝達部を形成してなることを特徴とする請求項４記載の車両用情報提供装置。
【請求項６】
利用者に所定情報を報知する車両用情報提供装置であって、
前記車両用情報提供装置は前記利用者に前記所定情報を表示するための表示手段と、この表示手段の前方に配設され前記所定情報を前記利用者に透視可能とする透視パネルと、この透視パネルの一部を覆い隠すように前記透視パネルの前方に配設されたバイザーと、前記前記利用者に車両の各種状態に応じた聴覚情報を提供する聴覚情報提供手段とを少なくとも備え、
前記聴覚情報提供手段は少なくとも前記バイザーの背後に配設されたブザーもしくはスピーカと、
前記ブザーもしくは前記スピーカから発せられる音を前記バイザー側に導く導音部材とを備えてなることを特徴とする車両用情報提供装置。
【請求項７】
前記バイザーに前記導音部材から出る音を前記利用者側に伝達するための音伝達部を形成してなることを特徴とする請求項６記載の車両用情報提供装置。
【請求項８】
前記表示手段の背後には前記聴覚情報提供手段を制御する制御手段を備えた回路基板が配設され、前記前記ブザーもしくは前記スピーカは前記回路基板上に配設されてなることを特徴とする請求項４から請求項７のうちいずれか１つに記載の車両用情報提供装置。
【請求項９】
前記音伝達部が前記透視パネルもしくは前記バイザーに開口形成された孔部からなることを特徴とする請求項１から請求項８のうちいずれか１つに記載の車両用情報提供装置。
【請求項１０】
利用者に所定情報を報知する車両用情報提供装置であって、
前記車両用情報提供装置は前記利用者に前記所定情報を表示するための表示手段と、前記利用者に車両の各種状態に応じた聴覚情報を提供する聴覚情報提供手段と、この聴覚情報提供手段を制御する制御手段を有する回路基板とを少なくとも備え、
前記聴覚情報提供手段は少なくとも前記回路基板の表面または裏面に配設されたブザーもしくはスピーカと、
前記ブザーもしくは前記スピーカから発せられる音を前記利用者に伝達してなる導音部材とを備えてなることを特徴とする車両用情報提供装置。
【手続補正２】
【補正対象書類名】明細書
【補正対象項目名】００１２
【補正方法】変更
【補正の内容】
【００１２】
また本発明は、前記音伝達部が前記透視パネルもしくは前記バイザーに開口形成された孔部からなることを特徴とする。
また本発明は、利用者に所定情報を報知する車両用情報提供装置であって、前記車両用情報提供装置は前記利用者に前記所定情報を表示するための表示手段と、前記利用者に車両の各種状態に応じた聴覚情報を提供する聴覚情報提供手段と、この聴覚情報提供手段を制御する制御手段を有する回路基板とを少なくとも備え、前記聴覚情報提供手段は少なくとも前記回路基板の表面または裏面に配設されたブザーもしくはスピーカと、前記ブザーもしくは前記スピーカから発せられる音を前記利用者に伝達してなる導音部材とを備えてなることを特徴とする。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
イソシアネート類と、片側もしくは両側末端反応性シリコーンとを
反応させて得られるウレタン・シリコーン相溶化剤。
【請求項２】
前記イソシアネート類がイソホロンジイソシアネートであり、シリコーンが両末端アミノ基変性シリコーンである請求項１に記載のウレタン・シリコーン相溶化剤。
【請求項３】
請求項1または請求項２に記載のウレタン・シリコーン相溶化剤を用いてシリコーンを内包させたことを特徴とするウレタンエマルション。
【請求項４】
イソシアネートとの反応性を有するシリコーンを、ポリイソシアネート中に滴下し反応させた後、水中に乳化して得られるウレタンエマルション。
【請求項５】
蛍光物質でラベルしたシリコーン・ウレタン相溶化剤を用いて、シリコーン仕込み量の異なるエマルションを調製し、そのエマルション懸濁液を遠心分離して、内包されないシリコーン層とシリコーン内包エマルション層の二相分離を行い、シリコーン内包エマルション層の溶液の蛍光強度を測定することにより、シリコーン仕込量に対するシリコーン内包量の相対量を測定する方法。
【請求項６】
請求項２に記載のウレタン・シリコーン相溶化剤のアミノ末端をブロックしたアミンブロック・シリコーン・ウレタン相溶化剤。
【手続補正書】
【提出日】平成19年6月19日(2007.6.19)
【手続補正１】
【補正対象書類名】明細書
【補正対象項目名】００３６
【補正方法】変更
【補正の内容】
【００３６】
また、本願発明（請求項４）の脂肪酸エステルの製造装置は、遊離脂肪酸を主成分とする脂肪酸原料と、アルコールとを混合し、アルコールが超臨界状態となる条件でエステル化反応を行わせて脂肪酸エステルを生成させる一次反応部と、一次反応部で反応させた反応液を、温度：６０〜２００℃、圧力：大気圧〜８ＭＰａの条件で、固体触媒およびイオン交換樹脂の少なくとも１種の存在下にさらにエステル化反応を行わせて脂肪酸エステルの生成を促進する二次反応部とを備えているので、本願請求項１〜３の脂肪酸エステルの製造方法を確実に実施して、遊離脂肪酸を主成分とする脂肪酸原料から脂肪酸エステルを効率よく製造することが可能になる。
【手続補正２】
【補正対象書類名】明細書
【補正対象項目名】００４１
【補正方法】変更
【補正の内容】
【００４１】
また、請求項６の脂肪酸エステルの製造装置のように、管型反応器に供給されるアルコールをその臨界温度以下の温度に予熱するアルコール予熱器を備えた構成とした場合、管型反応器に供給される流体の主要部をなすアルコールを効率よく予熱して、管型反応器の小型化を図ることが可能になる。
【手続補正３】
【補正対象書類名】明細書
【補正対象項目名】００４２
【補正方法】変更
【補正の内容】
【００４２】
なお、アルコールをその臨界温度以下の温度に予熱するようにしているのは、臨界温度以下の温度に予熱することによりアルコールを液相状態に保つことが可能になり、同じく液相状態の脂肪酸原料との混合分散を良好ならしめることが可能になり、その後の昇温過程における相互溶解とエステル化反応を促進させることが可能になることによる。
【手続補正４】
【補正対象書類名】明細書
【補正対象項目名】００９３
【補正方法】変更
【補正の内容】
【００９３】
上記の条件で、食用油の精製工程から排出される油を原料とした脂肪酸油（脂肪酸７５重量％以上）を処理した結果、上記実施例１の場合に準じる結果が得られることが確認された。回収されたメタノールについても分析を行い、リサイクル使用が可能な品質のものであることを確認した。
【手続補正５】
【補正対象書類名】明細書
【補正対象項目名】００９７
【補正方法】変更
【補正の内容】
【００９７】
本願発明はさらにその他の点においても上記実施形態および実施例に限定されるものではなく、一次反応機構部、二次反応機構部、予熱器、および混合昇温器などの温度条件や圧力条件、一次反応機構部が管型反応器である場合における液空間速度などに関し、発明の範囲内において、種々の応用、変形を加えることが可能である。
【手続補正６】
【補正対象書類名】明細書
【補正対象項目名】００９８
【補正方法】変更
【補正の内容】
【００９８】
上述のように本願発明においては、遊離脂肪酸を主成分とする脂肪酸原料と、アルコールとを混合し、アルコールが超臨界状態となる条件でエステル化反応を行わせた後、反応液を、温度：６０〜２００℃、圧力：大気圧〜８ＭＰａの条件で、固体触媒およびイオン交換樹脂の少なくとも１種の存在下にさらにエステル化反応を行わせるようにしているので、アルカリ触媒を使用することなく、遊離脂肪酸を主成分とする脂肪酸原料から、脂肪酸エステルを効率よく製造することが可能になる。  
したがって、本願発明は、植物油、動物油、植物油または動物油の廃油からなる群より選ばれる少なくとも１種に由来する脂肪酸原料から、軽油代替燃料として使用することが可能な品質を有する脂肪酸エステルを製造する分野などに広く適用することが可能である。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
少なくとも色材と２−ブチル−２−エチル−１，３−プロパンジオールとを含んでなることを特徴とする水性インク。
【請求項２】
界面活性剤をさらに含んでなることを特徴とする請求項１に記載の水性インク。
【請求項３】
グリコールエーテルをさらに含んでなることを特徴とする請求項１または２に記載の水性インク。
【請求項４】
１，２−アルキレングリコールをさらに含んでなることを特徴とする請求項１〜３のいずれかに記載の水性インク。
【請求項５】
前記界面活性剤がアセチレングリコール系界面活性剤、アセチレンアルコール系界面活性剤およびシリコン系界面活性剤から選ばれた１種以上であることを特徴とする請求項２〜４のいずれかに記載の水性インク。
【請求項６】
前記グリコールエーテルがアルキレングリコールモノアルキルエーテルである請求項３〜５のいずれかに記載の水性インク。
【請求項７】
前記アルキレングリコールモノアルキルエーテルが繰り返し単位１０以下のアルキレングリコールであって、且つ炭素数５〜１１のアルキルエーテルであることを特徴とする請求項６に記載の水性インク。
【請求項８】
前記アルキレングリコールモノアルキルエーテルがジ（トリ）エチレングリコールモノブチルエ−テルおよび／または（ジ）プロピレングリコールモノブチルエーテルであることを特徴とする請求項７に記載の水性インク。
【請求項９】
前記１，２−アルキレングリコールが炭素数４以上１０以下の直鎖または分岐１，２−アルキレングリコールである請求項４〜８のいずれかに記載の水性インク。
【請求項１０】
少なくとも前記アセチレングリコール系界面活性剤、アセチレンアルコール系界面活性剤およびシリコン系界面活性剤から選ばれた１種以上と、ジ（トリ）エチレングリコールモノブチルエーテル、（ジ）プロピレングリコールモノブチルエーテルおよび炭素数４以上１０以下の直鎖または分岐１，２−アルキレングリコールから選ばれた１種以上と、を含むことを特徴とする請求項９に記載の水性インク。
【請求項１１】
前記色材が有機顔料または無機顔料であることを特徴とする請求項１〜１０のいずれかに記載の水性インク。
【請求項１２】
前記色材が有機顔料または無機顔料であり、ポリマーによって包含されていることを特徴とする請求項１１に記載の水生インク。
【請求項１３】
前記２−ブチル−２−エチル−１，３−プロパンジオールの含有量が０．０５重量％以上３重量％以下である請求項１〜１２のいずれかに記載の水性インク。
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
被洗浄面に付着した汚れ等を洗浄する為の洗浄ブラシにおいて、前記洗浄ブラシは台座、チャンネルブラシ、及び止め金具より形成されてあり、前記チャンネルブラシはブラシ片、芯線、及び帯状体より形成されてあり、前記ブラシ片は、所定形状の不織布及び極微細な気泡を有する多孔質化されたポリウレタンよりなる二重構造体、及び所定形状の合成樹脂発泡体を重ね合わせると共に、前記芯線、及び前記帯状体に挟み付けて折り込んで前記チャンネルブラシが形成されてあり、該チャンネルブラシが前記台座に巻き付けられて前記止め金具にて固定されてあることを特徴とする洗浄ブラシ。
【請求項２】
請求項１記載の構成よりなる洗浄ブラシにおいて、チャンネルブラシに形成されてあるブラシ片は、所定形状の不織布及び極微細な気泡を有する多孔質化されたポリウレタンよりなる二重構造体、及び所定形状の合成樹脂発泡体が、段差を有して異なる毛丈に形成されてあることを特徴とする洗浄ブラシ。
【手続補正２】
【補正対象書類名】明細書
【補正対象項目名】０００７
【補正方法】変更
【補正の内容】
【０００７】
本発明にかかる洗浄ブラシは、次のように構成したものである。
（１）被洗浄面に付着した汚れ等を洗浄する為の洗浄ブラシにおいて、前記洗浄ブラシは台座、チャンネルブラシ、及び止め金具より形成されてあり、前記チャンネルブラシはブラシ片、芯線、及び帯状体より形成されてあり、前記ブラシ片は、所定形状の不織布及び極微細な気泡を有する多孔質化されたポリウレタンよりなる二重構造体、及び所定形状の合成樹脂発泡体を重ね合わせると共に、前記芯線、及び前記帯状体に挟み付けて折り込んで前記チャンネルブラシが形成されてあり、該チャンネルブラシが前記台座に巻き付けられて前記止め金具にて固定されてあるものである。
【手続補正３】
【補正対象書類名】明細書
【補正対象項目名】０００８
【補正方法】変更
【補正の内容】
【０００８】
（２）上記（１）記載の洗浄ブラシにおいて、チャンネルブラシに形成されてあるブラシ片は、所定形状の不織布及び極微細な気泡を有する多孔質化されたポリウレタンよりなる二重構造体、及び所定形状の合成樹脂発泡体が、段差を有して異なる毛丈に形成されてあるものである。
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
媒体の幅方向の位置決めを行う第１及び第２の媒体ガイドに案内されて前記媒体を給送する媒体給送装置であって、
前記第１の媒体ガイドと前記第２の媒体ガイドとの中央又は中心線に対称な位置に配置され、前記媒体を押圧して前記媒体の給送中に給送姿勢を規制する押圧手段を備えたことを特徴とする媒体給送装置。
【請求項２】
前記押圧手段は、任意の押圧幅で前記媒体を押圧することを特徴とする請求項１に記載の媒体給送装置。
【請求項３】
前記押圧手段は、前記媒体の供給側、且つ、前記媒体を搬送する媒体搬送手段の上流側に配設されていることを特徴とする請求項１又は２に記載の媒体給送装置。
【請求項４】
前記押圧手段は、少なくとも前記第１又は第２の媒体ガイドと連動することを特徴とする請求項１乃至３のいずれか一項に記載の媒体給送装置。
【請求項５】
前記押圧手段は、常に前記第１の媒体ガイドと前記第２の媒体ガイドとの中央又は中心線に対称な位置に配設されることを特徴とする請求項１乃至４のいずれか一項に記載の媒体給送装置。
【請求項６】
前記押圧手段は、第１、第２媒体ガイドより搬送下流側に配設されることを特徴とする請求項１乃至５のいずれか一項に記載の媒体給装装置。
【請求項７】
媒体に記録する記録装置であって、
請求項１乃至６のいずれか一項に記載の媒体給送装置を備えたことを特徴とする記録装置。
【手続補正２】
【補正対象書類名】明細書
【補正対象項目名】０００９
【補正方法】変更
【補正の内容】
【０００９】
上記目的達成のため、本発明の媒体給送装置では、媒体の幅方向の位置決めを行う第１及び第２の媒体ガイドに案内されて前記媒体を給送する媒体給送装置であって、前記第１の媒体ガイドと前記第２の媒体ガイドとの中央又は中心線に対称な位置に配置され、前記媒体を押圧して前記媒体の給送中に給送姿勢を規制する押圧手段を備えたことを特徴としている。これにより、前記第１の媒体ガイドと前記第２の媒体ガイドとの中央又は中心線に対称な位置に配置された押圧手段が、前記媒体の給送中に発生したスキューを矯正するので、本発明に係る媒体給送装置は、媒体のスキューを矯正して媒体を正しい状態で給送することが可能である。
【手続補正３】
【補正対象書類名】明細書
【補正対象項目名】００１１
【補正方法】変更
【補正の内容】
【００１１】
また、本発明の媒体給送装置では、前記押圧手段は、前記媒体の供給側、且つ、前記媒体を搬送する媒体搬送手段の上流側に配設されていることを特徴としている。これにより、前記媒体の供給側で発生した前記媒体のスキューを確実に矯正することができる。
【手続補正４】
【補正対象書類名】明細書
【補正対象項目名】００１２
【補正方法】変更
【補正の内容】
【００１２】
また、本発明の媒体給送装置では、前記押圧手段は、少なくとも前記第１又は第２の媒体ガイドと連動することを特徴としている。これにより大きさの異なる複数の媒体に対応したスキューの矯正を行うことができる。
【手続補正５】
【補正対象書類名】明細書
【補正対象項目名】００１３
【補正方法】変更
【補正の内容】
【００１３】
また、本発明の媒体給送装置では、前記押圧手段は、常に前記第１の媒体ガイドと前記第２の媒体ガイドとの中央又は中心線に対称な位置に配設されることを特徴としている。これにより、前記媒体のスキューを容易に且つ確実に矯正することができる。
【手続補正６】
【補正対象書類名】明細書
【補正対象項目名】００１４
【補正方法】変更
【補正の内容】
【００１４】
また、本発明の媒体給送装置では、前記押圧手段は、第１、第２媒体ガイドより搬送下流側に配設されることを特徴としている。これにより、スキューの再発を防止することができる。
【手続補正７】
【補正対象書類名】明細書
【補正対象項目名】００１５
【補正方法】変更
【補正の内容】
【００１５】
上記目的達成のため、本発明の記録装置では、媒体に記録する記録装置であって、上記各媒体給送装置を備えたことを特徴としている。これにより、上記各作用効果を奏する記録装置を提供することができる。
【手続補正書】
【提出日】平成19年5月30日(2007.5.30)
【手続補正１】
【補正対象書類名】明細書
【補正対象項目名】００３１
【補正方法】変更
【補正の内容】
【００３１】
まず、第一の段階でサーボモータ７の駆動により、所定位置まで載置台５上の下型２を上昇させる（図３（Ａ））。下型２が所定位置に達したか否かの検知は、サーボモータ７が入力する回転指令信号から算出したり、エンコーダ等によってサーボモータ７の回転量（移動量）を検出して検知してもよく、あるいは、下型２又は載置台５の位置を、光学的センサ、磁気的センサあるいは機械的センサなどにより検知することによっても行うことができる。したがって、本明細書において、所定位置を検知する検知手段７ｂ（図４参照）とは、サーボモータ等のアクチュエータ自体が有する位置検出機能及び、センサーなどの位置検知手段を含むものである。
この検知手段７ｂからの位置検出信号は制御部１０に送られ、制御部１０は、この検知信号にもとづいて切替弁６ｃやエアシリンダ８へ作動信号を出力する。
【手続補正２】
【補正対象書類名】図面
【補正対象項目名】図４
【補正方法】変更
【補正の内容】
【図４】
2006036592.tif 000001